(57)【要約】【課題】安価で、しかも、操作性に優れ、エアコン装置の現在の状態が、容易に把握できるエアコン操作部の表示構造を提供する。【解決手段】モード選択回転ダイヤル１４，風量調整回転ダイヤル２４には、点灯可能な手動モードインジケータ１６及び、ファン風量手動設定インジケータ２６が設けられていて、接続される空調コントローラによって、フルオート状態から、このモード選択回転ダイヤル１４又は、風量調整回転ダイヤル２４が、回転操作された場合に、手動モードインジケータ１６又はファン風量手動設定インジケータ２６が点灯されて、送風状態のモード選択のみ若しくは、ファン風量のみをマニュアル操作可能なセミオート状態に移行させる。【選択図】図１
2007320521.tif 000002
【特許請求の範囲】
【請求項１】
両端固定式のモード選択回転ダイヤルによって構成されて、該モード選択回転ダイヤルの回転により、選択された各送風モードへ、送風状態を変更可能なモードスイッチと、両端固定式の温度調整回転ダイヤルによって構成されて、該温度調整回転ダイヤルの回転により、選択された温度に自動調整可能な温度調整スイッチと、両端固定式の風量調整回転ダイヤルによって構成されて、該風量調整回転ダイヤルの回転により、ファン風量をマニュアル調整可能なファン風量スイッチと、該ファン風量スイッチと独立して設けられて、フルオートOＮ状態で、ファン風量及び各送風モードの選択を、前記温度調整スイッチによって設定された温度に応じて、自動制御すると共に、前記モード選択回転ダイヤル若しくは、前記風量調整回転ダイヤルの操作により、フルオートＯＦＦ状態へ移行するフルオートスイッチとを有するエアコン操作部の表示構造であって、
前記フルオートスイッチには、フルオートＯＮ状態又はフルオートＯＦＦ状態であるかを示すフルオートインジケータを設け、前記モード選択回転ダイヤルには、点灯可能な手動モードインジケータを設けて、フルオート状態から、該モード選択回転ダイヤルが回転操作された場合に、該手動モードインジケータを点灯させて、該送風状態のモード選択のみをマニュアル操作可能なセミオート状態に移行させると共に、前記風量調整回転ダイヤルには、点灯可能なファン風量手動設定インジケータを設けて、該風量調整回転ダイヤルが回転操作された場合に、該ファン風量手動設定インジケータを点灯させて、ファン風量の設定のみをマニュアル操作可能なセミオート状態に移行させる制御部を有することを特徴とするエアコン操作部の表示構造。
【請求項２】
前記温度調整スイッチを構成する前記温度調整回転ダイヤルの内側には、内気循環，外気導入切換スイッチが設けられると共に、該内気循環，外気導入切換スイッチには、内，外気の切換状態を表示する内外気切換インジケータを設け、前記制御部では、フルオート状態から、該内気循環，外気導入切り替えスイッチの操作によって、内，外導入状態が切り替えられると、該内外気切換インジケータにより切換状態が表示されて、内外気導入の設定のみをマニュアル操作可能なセミオート状態に移行させることを特徴とする請求項１記載のエアコン操作部の表示構造。
【発明の詳細な説明】
【技術分野】
【０００１】
本発明は、主に、車両に用いられるエアコン操作部の表示構造で、特に、マニュアルエアコン操作機能を有するオートエアコンのエアコン操作部の表示構造に関するものである。
【背景技術】
【０００２】
従来、図５乃至図７に示すようなエアコン操作部の表示構造が知られている（例えば、特許文献１等参照）。
【０００３】
まず、構成から説明すると、この従来のエアコン操作部の表示構造では、車両の車室内の運転席前方に位置するインストルメントパネル１の車幅方向略中央には、センタクラスタ部２が設けられている。
【０００４】
このセンタクラスタ部２には、エアコン操作部としてのダイヤル式のモードスイッチ３、温度調整スイッチ４、及び内気循環，外気導入切り替えスイッチ５が設けられている。
【０００５】
また、このセンタクラスタ部２の上部には、これらのエアコン操作部で操作されたエアコン装置の状態を表示する表示部６が設けられている。
【０００６】
次に、この従来のエアコン操作部の表示構造の作用について説明する。
【０００７】
この従来のエアコン操作部の表示構造では、前記ダイヤル式のモードスイッチ３、温度調整スイッチ４、及び内気循環，外気導入切り替えスイッチ５の操作により、別途設けられた前記表示部６内の表示が、切り替えられて表示されて、車両の乗員に、エアコン装置の状態が示される。
【０００８】
また、図６に示す他の従来のエアコン操作部の表示構造では、エアコン操作部としてのモードスイッチ７の周囲に、送風モードの状態を表示するモードインジケータ部８が設けられていると共に、風量調整回転ダイヤル９の周囲に、風量インジケータ部１０が設けられている。
【０００９】
そして、フルオートボタン１１を、温度調整ダイヤル１２の内側に設けて、一回の押圧ボタン操作により、フルオート制御に移行出来るように構成されている。
【００１０】
また、図７に示すように、エアコン操作部としてのダイヤル式のモードスイッチ１３、ファンスイッチ１４等の各ダイヤルスイッチの一部に、オートポジション１３ａ，１４ａが設けられているものも知られている。
【００１１】
このようなものでは、フルオートボタンが省略出来るので、製造コストの増大が抑制されている。
【００１２】
なお、エアコン操作部の各スイッチの他に、表示部が、別途設けられたものとして、デュアルエアコンの表示構造も知られている（例えば、特許文献１等参照）。
【特許文献１】特開２００４−６６８４５号公報（０００７段落乃至００３５段落、図２）
【発明の開示】
【発明が解決しようとする課題】
【００１３】
しかながら、前記図５に示されるように構成された従来のエアコン操作部の表示構造では、前記表示部６や、或いは、モードインジケータ部８及び、風量インジケータ部１０が、別途設けられているので、製造コストが増大してしまうといった問題があった。
【００１４】
また、図７に示されるように、フルオートボタンが省略されたものでは、ダイヤル式のモードスイッチ１３の一部に設けられたオートポジション１３ａ或いは、ファンスイッチ１４の一部に設けられたオートポジション１４ａを用いて、何れか一方をオート制御に変更しても、他方の状態は、マニュアル制御のままであり、操作者の意図と相違した状態となってしまう虞があった。
【００１５】
そこで、この発明は、安価で、しかも、操作性に優れ、エアコン装置の現在の状態が、容易に把握できるエアコン操作部の表示構造を提供することを課題としている。
【課題を解決するための手段】
【００１６】
上記目的を達成するために、請求項１に記載された発明は、両端固定式のモード選択回転ダイヤルによって構成されて、該モード選択回転ダイヤルの回転により、選択された各送風モードへ、送風状態を変更可能なモードスイッチと、両端固定式の温度調整回転ダイヤルによって構成されて、該温度調整回転ダイヤルの回転により、選択された温度に自動調整可能な温度調整スイッチと、両端固定式の風量調整回転ダイヤルによって構成されて、該風量調整回転ダイヤルの回転により、ファン風量をマニュアル調整可能なファン風量スイッチと、該ファン風量スイッチと独立して設けられて、フルオートOＮ状態で、ファン風量及び各送風モードの選択を、前記温度調整スイッチによって設定された温度に応じて、自動制御すると共に、前記モード選択回転ダイヤル若しくは、前記風量調整回転ダイヤルの操作により、フルオートＯＦＦ状態へ移行するフルオートスイッチとを有するエアコン操作部の表示構造であって、前記フルオートスイッチには、フルオートＯＮ状態又はフルオートＯＦＦ状態であるかを示すフルオートインジケータを設け、前記モード選択回転ダイヤルには、点灯可能な手動モードインジケータを設けて、フルオート状態から、該モード選択回転ダイヤルが回転操作された場合に、該手動モードインジケータを点灯させて、該送風状態のモード選択のみをマニュアル操作可能なセミオート状態に移行させると共に、前記風量調整回転ダイヤルには、点灯可能なファン風量手動設定インジケータを設けて、該風量調整回転ダイヤルが回転操作された場合に、該ファン風量手動設定インジケータを点灯させて、ファン風量の設定のみをマニュアル操作可能なセミオート状態に移行させる制御部を有するエアコン操作部の表示構造を特徴としている。
【００１７】
また、請求項２に記載されたものは、前記温度調整スイッチを構成する前記温度調整回転ダイヤルの内側には、内気循環，外気導入切換スイッチが設けられると共に、該内気循環，外気導入切換スイッチには、内，外気の切換状態を表示する内外気切換インジケータを設け、前記制御部では、フルオート状態から、該内気循環，外気導入切り替えスイッチの操作によって、内，外導入状態が切り替えられると、該内外気切換インジケータにより切換状態が表示されて、内外気導入の設定のみをマニュアル操作可能なセミオート状態に移行させる請求項１記載のエアコン操作部の表示構造を特徴としている。
【発明の効果】
【００１８】
このように構成された請求項１記載のものは、前記フルオートスイッチを入れたフルオートOＮ状態で、ファン風量及び各送風モードの選択が、前記温度調整スイッチによって設定された温度に応じて、自動制御される。
【００１９】
この際、該フルオートスイッチに設けられたフルオートインジケータが、フルオート状態であることを表示するので、操作者は、このフルオートインジケータの表示を見て、どのような状態であるか、容易に知ることができる。
【００２０】
また、フルオート状態から、前記モード選択回転ダイヤルが回転操作されて、該送風状態のモード選択のみをマニュアル操作可能なセミオート状態に移行すると、前記手動モードインジケータが点灯する。
【００２１】
該手動モードインジケータは、前記モード選択回転ダイヤルに設けられているので、点灯した手動モードインジケータが、該モード選択回転ダイヤルと共に回転して、所望の送風状態のモードを指し示すことが出来ると共に、送風状態のモードのみが、マニュアル操作されているセミオート状態であることが一目で分かる。
【００２２】
更に、フルオート状態から、前記風量調整回転ダイヤルが回転操作されて、ファン風量の設定のみをマニュアル操作可能なセミオート状態に移行すると、前記ファン風量手動設定インジケータが点灯する。
【００２３】
該ファン風量手動設定インジケータは、前記風量調整回転ダイヤルに設けられているので、点灯したファン風量手動設定インジケータが、該風量調整回転ダイヤルと共に回転して、所望の風量を指し示しながら、風量のみが、マニュアル操作されているセミオート状態であることが一目で分かる。
【００２４】
このため、別途、表示装置を設けなければならない構成に比して、安価で、しかも、操作性に優れ、エアコン装置の現在の状態が、容易に把握できるエアコン操作部の表示構造が提供される。
【００２５】
また、請求項２に記載されたものは、前記内気循環，外気導入切換スイッチが、前記温度調整スイッチを構成する前記温度調整回転ダイヤルの内側に設けられているので、見かけ上のスイッチの数量を増大させることなく、機能を増加させることができる。
【００２６】
そして、フルオート状態から、該内気循環，外気導入切り替えスイッチの操作によって、内，外導入状態が切り替えられると、内外気導入の設定のみをマニュアル操作可能なセミオート状態に移行されると共に、前記内外気切換インジケータにより、切換状態が表示されて、内，外切換制御のみが、マニュアル操作されているセミオート状態であることが一目で分かる。
【発明を実施するための最良の形態】
【００２７】
次に、図面に基づいて、この発明を実施するための最良の実施の形態のエアコン操作部の表示構造について説明する。なお、前記従来例と同一乃至均等な部分については同一符号を付して説明する。
【００２８】
図１乃至図４は、この発明の最良の実施の形態のエアコン操作部の表示構造を示すものである。
【００２９】
まず、全体の構成について説明すると、この実施の形態のエアコン操作部では、図示省略の車両の車室内の運転席前方に位置するインストルメントパネルの車幅方向略中央にもうけられたセンタクラスタ部内には、エアコン操作部としての三連ダイヤル式の操作ダイヤルを有するエアコン操作表示部１３が設けられている。
【００３０】
このエアコン操作表示部１３には、両端固定式のモード選択回転ダイヤル１４によって構成されて、このモード選択回転ダイヤル１４の回転により、選択された各送風モードへ、送風状態を変更可能なモードスイッチ１５が設けられている。
【００３１】
このモード選択回転ダイヤル１４には、点灯可能な手動モードインジケータ１６が、設けられていて、図２に示すように、接続される制御部としての空調コントローラ１７内のオート、セミオート及びマニュアル制御切換部１８及び選択的点灯点滅若しくは、色相可変出力制御部１９によって、フルオート状態から、このモード選択回転ダイヤル１４が、回転操作された場合に、この手動モードインジケータ１６が点灯されて、送風状態のモード選択のみをマニュアル操作可能なセミオート状態に移行させるように構成されている。
【００３２】
更に、この実施の形態のエアコン操作表示部１３のモードスイッチ１５のモード選択回転ダイヤル１４の内側位置には、このモード選択回転ダイヤル１４の内周縁に沿って、各種送風モードが絵文字として表されたモード絵文字部１４ａ及び、デフロスタインジケータ１４ｂが設けられている。
【００３３】
また、このエアコン操作表示部１３には、両端固定式の温度調整回転ダイヤル２０によって構成されて、この温度調整回転ダイヤル２０の回転により、選択された温度に自動調整可能な温度調整スイッチ２１が設けられている。
【００３４】
この実施の形態の温度調整回転ダイヤル２０には、前記手動モードインジケータ１６と異なる色相、例えば、前記手動モードインジケータ１６がオレンジ色であれば、グリーン色等となるように設けられた温度インジケータが設けられていて、エアコン装置のＯＮ状態で、常時点灯するように構成されている。
【００３５】
更に、この実施の形態のエアコン操作表示部１３の温度調整回転ダイヤル２０の内側位置には、押圧により、切換可能となるように、内気循環，外気導入切換スイッチ２３が設けられている。
【００３６】
この内気循環，外気導入切換スイッチ２３の表面側には、温度調整回転ダイヤル２０の内周縁に沿って、設定温度目盛部２１ａが設けられると共に、中央部近傍に、この内気循環，外気導入切換スイッチ２３の内，外気の切換状態を表示する内外気切換インジケータ２３ａ，２３ｂが設けられている。
【００３７】
そして、図２に示すように、これらの温度調整スイッチ２１及び、内気循環，外気導入切換スイッチ２３が接続される前記空調コントローラ１７では、フルオート状態から、設定された温度に、前記エアコン装置の各種モード及びファン風量等を制御して、自動調整が行われる。
【００３８】
また、この内気循環，外気導入切り替えスイッチ２３の操作によって、内気循環，外気導入状態が切り替えられると、前記内外気切換インジケータ２３ａ，２３ｂが、交互に点灯して、マニュアル操作による切換状態が表示されるように、前記選択的点灯点滅若しくは、色相可変出力制御部１９による制御が、構成されていると共に、内外気導入の設定のみがマニュアル操作可能なセミオート状態に移行されるように、前記オート、セミオート及びマニュアル制御切替部１８による制御が構成されている。
【００３９】
また、このエアコン操作表示部１３には、図１に示すように、両端固定式の風量調整回転ダイヤル２４によって構成されていて、この風量調整回転ダイヤル２４の回転により、ファン風量をマニュアル調整可能なファン風量スイッチ２５が設けられている。
【００４０】
このファン風量スイッチ２５の風量調整回転ダイヤル２４には、点灯可能なファン風量手動設定インジケータ２６が設けられている。
【００４１】
そして、図２に示すように、これらのファン風量スイッチ２５及び、ファン風量手動設定インジケータ２６が、各々接続された前記空調コントローラ１７では、この風量調整回転ダイヤル２４が回転操作された場合に、前記選択的点灯点滅若しくは、色相可変出力制御部１９による制御によって、このファン風量手動設定インジケータ２６を点灯させると共に、前記オート、セミオート及びマニュアル制御切替部１８による制御によって、ファン風量の設定のみがマニュアル操作可能なセミオート状態に移行されるように構成されている。
【００４２】
また、このエアコン操作表示部１３には、前記モードスイッチ１５と独立して、デフスイッチ２７が設けられている。このデフスイッチ２７には、デフロスタインジケータ２７ａが設けられていて、前記選択的点灯点滅若しくは、色相可変出力制御部１９による制御によって、前記デフロスタの稼働状態を点灯表示可能に構成されている。
【００４３】
更に、この実施の形態では、前記ファン風量スイッチ２５と独立して、フルオートスイッチ２８が設けられている。
【００４４】
このフルオートスイッチ２８は、押圧によりＯＮ，ＯＦＦ状態を切替可能で、前記空調コントローラ１７のオート、セミオート及びマニュアル制御切替部１８に接続されることにより、フルオートOＮ状態で、ファン風量及び各送風モードの選択を、前記温度調整スイッチ２１の温度調整回転ダイヤル２０の回転によって設定された温度に応じて、自動制御すると共に、前記モードスイッチ１５のモード選択回転ダイヤル１４若しくは、前記ファン風量スイッチ２５の風量調整回転ダイヤル２４の操作により、セミオート状態若しくは、フルオートＯＦＦ状態へ移行するように構成されている。
【００４５】
また、この実施の形態のフルオートスイッチ２８には、フルオートインジケータとしてのオートインジケータ２９が、設けられていて、前記選択的点灯点滅若しくは、色相可変出力制御部１９による出力制御で、図３に示すように、完全手動状態では、消灯されると共に、完全オート状態では、点灯されて、フルオートOＮ状態であることが表示されるように構成されている。
【００４６】
また、この実施の形態では、セミオート状態では、このオートインジケータ２９が、点滅若しくは、色相を異ならせた色違い点灯することにより、操作された各手動モードインジケータ１６、ファン風量手動設定インジケータ２６等の点灯と共に、少なくとも、何れか一つの操作スイッチが、手動で調整可能な状態であることが表示されるように、前記選択的点灯点滅若しくは、色相可変出力制御部１９による制御が構成されている。
【００４７】
次に、この実施の形態のエアコン操作部の表示構造の作用効果について説明する。
【００４８】
このように構成された実施の形態のエアコン操作部の表示構造では、図３に示すように、完全手動状態では、前記手動モードインジケータ１６及びファン風量手動設定インジケータ２６が、点灯されて、手動制御中であることが表示されると共に、温度インジケータ２２が、点灯されて温度調整中であることが表示される。
【００４９】
この完全手動状態では、前記フルオートスイッチ２８に設けられたオートインジケータ２９が消灯されている。
【００５０】
次に、完全オート状態に移行する為、前記フルオートスイッチ２８が押圧されて、前記フルオートスイッチ２８が入れられて、前記フルオートOＮ状態となると、空調コントローラ１７では、前記選択的点灯点滅若しくは、色相可変出力制御部１９による制御によって、前記オートインジケータ２９が点灯されると共に、前記手動モードインジケータ１６及び、ファン風量手動設定インジケータ２６が消灯する。
【００５１】
そして、ファン風量及び各送風モードの選択が、前記温度調整スイッチ２１によって、設定された温度に応じて、自動制御される。
【００５２】
この際、前記フルオートスイッチ２８に設けられたオートインジケータ２９によって、フルオート状態であることが、点灯表示される。
【００５３】
従って、エアコン装置の操作者等の乗員は、このオートインジケータ２９の表示を見て、どのような状態であるか、容易に知ることができる。
【００５４】
また、完全オート制御状態から、前記モード選択回転ダイヤル１４を回転操作して、送風状態のモード選択のみをマニュアル操作可能なセミオート状態に移行させる操作を行うと、前記空調コントローラ１７に設けられたオート、セミオート及びマニュアル制御切替部１８によって、送風状態のモード選択のみがマニュアル操作可能なセミオート状態に制御が移行される。
【００５５】
そして、前記選択的点灯点滅若しくは、色相可変出力制御部１９によって、前記モード選択回転ダイヤル１４に設けられた手動モードインジケータ１６が点灯されると共に、前記フルオートスイッチ２８に設けられたオートインジケータ２９が、点滅又は色違い表示されて、送風状態のモード選択のみをマニュアル操作可能なセミオート状態に移行したことが、表示される。
【００５６】
この手動モードインジケータ１６は、前記モード選択回転ダイヤル１４に設けられているので、点灯した手動モードインジケータ１６が、このモード選択回転ダイヤル１４と共に回転して、所望の送風状態のモードを指し示すことが出来ると共に、点灯により、送風状態のモードのみが、マニュアル操作されているセミオート状態であることが一目で分かる。
【００５７】
更に、フルオート状態から、前記風量調整回転ダイヤル２４を回転操作して、ファン風量の設定のみをマニュアル操作可能なセミオート状態に移行させる操作を行うと、前記空調コントローラ１７に設けられたオート、セミオート及びマニュアル制御切替部１８によって、ファン風量のみをマニュアル操作可能なセミオート状態に制御が移行される。
【００５８】
この際、前記選択的点灯点滅若しくは、色相可変出力制御部１９によって、前記ファン風量手動設定インジケータ２６が点灯されると共に、前記フルオートスイッチ２８に設けられたオートインジケータ２９が、点滅又は色違い表示されて、ファン風量のみがマニュアル操作可能なセミオート状態に移行したことが、表示される。
【００５９】
また、前記ファン風量手動設定インジケータ２６は、前記風量調整回転ダイヤル２４に設けられているので、点灯したファン風量手動設定インジケータ２６が、この風量調整回転ダイヤル２４と共に回転して、所望の風量を指し示しながら、風量のみが、マニュアル操作されているセミオート状態であることが一目で分かる。
【００６０】
このため、別途、表示装置を設けなければならない構成に比して、安価で、しかも、操作性に優れ、エアコン装置の現在の状態が、容易に把握できるエアコン操作部の表示構造が提供される。
【００６１】
また、この実施の形態では、前記内気循環，外気導入切換スイッチ２３が、前記温度調整スイッチ２１を構成する前記温度調整回転ダイヤル２０の内側に設けられているので、見かけ上のスイッチの数量を増大させることなく、機能を増加させることができる。
【００６２】
そして、フルオート状態から、この内気循環，外気導入切り替えスイッチ２３の押圧操作によって、内気循環，外気導入状態が切り替えられると、内外気導入の設定のみが、前記空調コントローラ１７に設けられたオート、セミオート及びマニュアル制御切替部１８によって、マニュアル操作可能なセミオート状態に移行されると共に、前記内外気切換インジケータ２３ａ,２３ｂにより、選択された内気循環，外気導入状態の部分が点灯する切換状態が、表示されると共に、前記フルオートスイッチ２８に設けられたオートインジケータ２９が、点滅又は色違い表示されて、内，外切換制御のみが、マニュアル操作されているセミオート状態であることが一目で分かる。
【００６３】
また、この実施の形態では、前記各セミオート状態では、前記フルオートスイッチ２８のオートインジケータ２９が、前記選択的点灯点滅若しくは、色相可変出力制御部１９によって、点滅若しくは、色相を異ならせた色違い点灯が、マニュアル操作可能な箇所を示すように行われて、更に、フルオート状態でも、完全手動制御状態でもない状態であることが、更に、分かり易く表示される。
【００６４】
そして、これらの前記各セミオート状態若しくは、前述した完全オート状態から、前記フルオートスイッチ２８が押圧されることにより、完全手動制御状態にワンタッチで移行できる。
【００６５】
このため、更に操作性が良好であると共に、前記オートインジケータ２９が消灯されるので、更に、各セミオート状態でも完全オート状態でもない状態であることが分かりやすい。
【００６６】
上述してきたように、この実施の形態のエアコン操作部の表示構造では、従来のように、別途、表示装置を設けなければならない構成に比して、安価に構成出来る。
【００６７】
更に、例えば、送風モードの絵文字毎に、点灯するインジケータランプを設けなければならない従来の構成に比して、インジケータランプの数量を減少させることができるので、更に、製造コストの増大が抑制される。
【００６８】
しかも、エアコン装置のマニュアル操作を行いたい状況で、前記モード選択回転ダイヤル１４若しくは、温度調整回転ダイヤル２０を回転操作するだけで、セミオート状態に切り替わると共に、表示も、マニュアル操作している部分が点灯等するように切り替わり、操作性に優れ、エアコン装置の現在の状態が、容易に把握できるエアコン操作部の表示構造が提供される。
【００６９】
以上、図面を参照して、本発明の実施の形態を詳述してきたが、具体的な構成は、この実施の形態に限らず、本発明の要旨を逸脱しない程度の設計的変更は、本発明に含まれる。
【００７０】
即ち、前記実施の形態では、内気循環，外気導入切り替えスイッチ２３の操作によって、内気循環，外気導入状態が切り替えられると、前記内外気切換インジケータ２３ａ，２３ｂが、交互に点灯して、マニュアル操作による切換状態が表示されるように構成されているが、特にこれに限らず、色相の相違するインジケータを、点灯させるように構成してもよく、切換状態が表示されるものであるならば、形状、数量、及び色彩が、どのような表示であってもよい。
【図面の簡単な説明】
【００７１】
【図１】この発明の最良の実施の形態のエアコン操作部の表示構造で、エアコン操作表示部を正面から見た平面図である。
【図２】実施の形態のエアコン操作部の表示構造に用いられる空調コントローラの構成を説明するブロック図である。
【図３】実施の形態のエアコン操作部の表示構造で、制御状態の遷移に伴うインジケータの点灯、点滅及び消灯の状態を示す模式的な説明図である。
【図４】実施の形態のエアコン操作部の表示構造で、各スイッチの操作に伴うインジケータの点灯、点滅及び消灯等、表示の関係を説明する表図である。
【図５】一従来例のエアコン操作部の表示構造を示し、インストルメントパネル中央部の斜視図である。
【図６】他の従来例のエアコン操作部の表示構造で、操作部の全体の構成を説明する正面図である。
【図７】その他の従来例のエアコン操作部の表示構造で、操作部の全体の構成を説明する正面図である。
【符号の説明】
【００７２】
１３            エアコン操作表示部
１４            モード選択回転ダイヤル
１５            モードスイッチ
１６            手動モードインジケータ
１７            空調コントローラ（制御部）
２０            温度調整回転ダイヤル
２１            温度調整スイッチ
２３            内気循環，外気導入切換スイッチ（内外気導入切換スイッチ）
２３ａ，２３ｂ  内外気切換インジケータ
２４            風量調整回転ダイヤル
２５            ファン風量スイッチ
２６            ファン風量手動設定インジケータ
２７            デフスイッチ
２８            フルオートスイッチ
２９            オートインジケータ（フルオートインジケータ）
【図１】
2007320521.tif 000003
【図２】
2007320521.tif 000004
【図３】
2007320521.tif 000005
【図４】
2007320521.tif 000006
【図５】
2007320521.tif 000007
【図６】
2007320521.tif 000008
【図７】
2007320521.tif 000009